Podtech/llm-jp-corpus-v4-ja_patent huggingface dataset:
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
タバコ産業における喫煙品（１）のためのフィルタ要素であって、前記フィルタ要素を通る煙の主要フロー（Ｆ１）を通気させるための通気手段（６，８，９，１０，１２）を備えるフィルタ要素において、
前記通気手段は、少なくとも一つの内部チャンネル（８）と、前記フィルタ要素の外面（１１）と連通状態にある入口（１０）および前記内部チャンネル（８）と連通状態にある出口（１２）を有している少なくとも一つの孔（９）とを備える少なくとも一つの通気ピース（６）を備えるフィルタ要素。
【請求項２】
延設（Ｄ）の主方向において前記通気ピース（６）と並んで配置されているフィルタ材のピース（５ａ）を備える、請求項１に記載のフィルタ要素。
【請求項３】
フィルタ材の第二ピース（５ｂ）を備えており、前記通気ピース（６）は、前記主要フローに沿ってフィルタ材の前記第一ピース（５ａ）とフィルタ材の前記第二ピース（５ｂ）との間に配置されている、請求項２に記載のフィルタ要素。
【請求項４】
前記通気ピース（６）はフィルタ材の前記第一ピース（５）と同軸状にある、請求項２または請求項３に記載のフィルタ要素。
【請求項５】
前記孔（９）の軸（Ａ１）は、延設（Ｄ）の前記主方向に対して直角である平面（Ｐ１）に対して角度「α」で傾斜している、請求項１から請求項４のいずれか１項に記載のフィルタ要素。
【請求項６】
前記角度「α」は、角の６０進測度で＋９０〜−９０度の角度であり、好ましくは＋４５度である、請求項５に記載のフィルタ要素。
【請求項７】
前記孔（９）の前記軸（Ａ１）は、前記孔（９）の前記出口（１２）が通る径方向面（Ｐ２）に対して角度「β」で傾斜している、請求項１から請求項６のいずれか１項に記載のフィルタ要素。
【請求項８】
前記角度「β」は、角の６０進測度で＋９０〜−９０度の角度である、請求項７に記載のフィルタ要素。
【請求項９】
前記通気ピース（６）には複数の孔（９）が備えられており、それぞれの前記孔（９）の軸（Ａ１）は、延設（Ｄ）の前記主方向に対して直角である平面（Ｐ１）に対して角度「α」で傾斜しており、それぞれの孔（９）の前記軸（Ａ１）は、その出口（１２）が通る径方向面（Ｐ２）に対して角度「β」で傾斜している、請求項１から請求項８のいずれか１項に記載のフィルタ要素。
【請求項１０】
少なくとも前記通気ピース（６）を包む被覆材（７）を備えており、前記被覆材（７）は、前記通気ピース（６）における前記孔（９）の前記入口（１０）に少なくとも一つの孔（７ａ）を有している、請求項１から請求項９のいずれか１項に記載のフィルタ要素。
【請求項１１】
前記主要フロー（Ｆ１）に沿って前記通気ピース（６）の下流側に配置される膨張室（１４）を備える、請求項１から請求項１０のいずれか１項に記載のフィルタ要素。
【請求項１２】
前記通気ピース（６）は、チャネルを形成する内部ダクト（８ａ）を有する管状要素（６ａ）を備えており、前記孔（９）は、前記管状要素（６ａ）を貫通して、前記フィルタ要素の前記外面（１１）を前記内部ダクト（８ａ）と連通状態にしている、請求項１から請求項１１のいずれか１項に記載のフィルタ要素。
【請求項１３】
前記通気ピース（６）は、外側部分（６ｂ'）および内側部分（６ｂ"）を備えるフィルタ材の第三ピース（６ｂ）を備えており、前記内側部分（６ｂ"）の多孔度は前記外側部分（６ｂ'）より高く、前記チャネル（８）は前記内側部分（６ｂ"）によって形成されており、前記孔は、前記外側部分（６ｂ'）を貫通して、前記フィルタ要素の前記外面（１１）を前記チャネル（８）と連通状態にしている、請求項１から請求項１２のいずれか１項に記載のフィルタ要素。
【請求項１４】
前記内側部分（６ｂ"）は前記外側部分（６ｂ'）と同軸状にある、請求項１３に記載のフィルタ要素。
【請求項１５】
タバコ・スティック（３）と、フィルタ要素（２）と、前記タバコ・スティック（３）を前記フィルタ要素（２）に接続するためのパッチ（４）と、を備える喫煙品において、
前記フィルタ要素（２）は、請求項１から請求項１４のいずれか１項に記載のタイプのフィルタ要素である喫煙品。
【請求項１６】
前記パッチ（４）は、多孔度が高い好ましくは３００００コレスタ単位より高い通気区域（４ａ）を備えており、前記孔（９）の前記入口（１０）は前記通気区域（４ａ）と連通状態にある、請求項１５に記載の喫煙品。
【請求項１７】
前記パッチ（４）は、前記通気ピース（６）における前記孔（９）の前記入口（１０）と連通状態にある少なくとも一つの孔（１３）を備える、請求項１５または請求項１６に記載の喫煙品。
【請求項１８】
請求項１から請求項１４のいずれか１項に記載のタイプのフィルタ要素を生産する方法において、
前記通気ピース（６）における前記孔（９）を形成するために、前記外面（１１）から前記チャネル（８）に、好ましくはレーザー手段によって、前記通気ピース（６）を穿孔するステップ
を含む方法。
【請求項１９】
請求項１５から請求項１７のいずれか１項に記載のタイプの喫煙品を生産する方法において、
前記通気ピース（６）における前記孔（９）を形成するために、前記外面（１１）から前記チャネル（８）に、好ましくはレーザー手段によって、前記通気ピース（６）を穿孔するステップ
を含む方法。
【請求項２０】
前記穿孔ステップは前記パッチ（４）にも適用される、請求項１９に記載の喫煙品を形成する方法。
【請求項２１】
多孔度が高い好ましくは３００００コレスタ単位より高い前記通気区域（４ａ）を備える前記パッチ（４）を、前記フィルタ要素（２）および前記タバコ・スティック（３）に巻き付けるステップを含んでおり、前記通気区域（４ａ）は、前記孔（９）の前記入口（１０）と連通状態にある、請求項１６に記載のタイプの喫煙品を生産する方法。
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
調理サイクル中に圧力フライヤーの圧力フライヤー調理容器内の圧力を急速に高めるための方法であって、前記圧力フライヤーはまた、一つ以上のプロセッサ及びメモリを有する制御装置を含み、当該方法は、
前記圧力フライヤーの蓋を閉じること、及び前記調理容器内の調理媒体及び食品を加熱するための発熱体を前記制御装置によって自動的に作動させることによって、食品の調理サイクルを開始するステップであり、そのため前記調理サイクルは圧力調理サイクルである、ステップ、
前記制御装置によって自動的に、前記調理容器の圧力出口が開いているか又は閉じているかどうかを決定するステップであり、前記圧力出口は、前記調理容器が前記蓋を用いて外側の環境に対して閉じられている場合に、空気及び蒸気のうちの少なくとも一つを前記調理容器から排出するように構成されている、ステップ、
前記制御装置によって自動的に、前記調理容器の圧力を決定するステップ、
前記制御装置によって自動的に、前記調理容器の前記圧力を所定の最適圧力と比較して、前記調理容器の前記圧力が前記最適圧力より低いかどうかを決定するステップ、
前記圧力出口が閉じていること及び前記調理容器の前記圧力が前記最適圧力よりも低いことの両方の決定に応じて、ドレーンパンから前記調理容器に空気を供給するように構成されたフィルタポンプを前記制御装置によって自動的に作動させるステップ、
前記調理容器内の圧力が前記最適圧力と等しいか又は前記最適圧力よりも高い場合に、前記制御装置によって自動的に、前記フィルタポンプを停止させるステップ、
前記フィルタポンプを作動させた後且つ前記調理容器内の圧力が前記最適圧力よりも低い場合に、前記制御装置によって自動的に、前記フィルタポンプのための最大ポンプ時間を超過しているかどうかを決定するステップ、及び
前記最大ポンプ時間を超過していることの決定に応じて、前記制御装置によって自動的に、前記フィルタポンプを停止させるステップ、
含む、方法。
【請求項２】
前記フィルタポンプを作動させる前に、
前記調理容器の圧力が前記最適圧力と等しいか又は前記最適圧力よりも高いとの比較に応じて、前記フィルタポンプは作動させられず、
前記調理容器の圧力が前記最適圧力よりも低いとの比較に応じて、前記フィルタポンプは作動させられる、
請求項１に記載の方法。
【請求項３】
前記圧力出口が開いていることの決定に応じて、前記フィルタポンプを作動させる前に、前記調理サイクルの終了までに所定の時間が残っているかどうか又は前記調理サイクルが中止されたかどうかを決定するステップ、
前記調理サイクルの終了までに所定の時間が残っていること又は前記調理サイクルが中止されたことの決定に応じて、前記調理サイクル中に前記フィルタポンプを作動させないステップ、及び
前記調理サイクルの終了までに所定の時間が残っている状態でないこと及び前記調理サイクルが中止されていないことの決定に応じて、前記調理容器の前記圧力出口が開いているか又は閉じているかどうかを決定するために再び確認するステップ、
を更に含む、請求項１に記載の方法。
【請求項４】
前記フィルタポンプを作動させた後に、前記圧力出口が開いているかどうかを決定するステップ、及び
前記圧力出口が開いていることの決定に応じて、前記フィルタポンプを停止させるステップ、
を更に含む、請求項１に記載の方法。
【請求項５】
前記フィルタポンプを作動させた後に、前記調理サイクルの終了までに所定の時間が残っているかどうかを決定するステップ、及び
前記調理サイクルの終了までに所定の時間が残っていることの決定に応じて、前記フィルタポンプを停止させるステップ、
を更に含む、請求項１に記載の方法。
【請求項６】
前記フィルタポンプを作動させた後に、前記調理サイクルが中止されたかどうかを決定するステップ、及び
前記調理サイクルが中止されたことの決定に応じて、前記フィルタポンプを停止させるステップ、
を更に含む、請求項１に記載の方法。
【請求項７】
前記圧力出口が閉じられていることの決定の後、かつ前記フィルタポンプを作動させる前に、前記調理容器のドレーンバルブが閉じられているかどうかを決定するステップであり、前記ドレーンバルブは、開いている場合に前記調理容器から前記ドレーンパンに調理媒体を流出させるように構成されている、ステップ、及び
前記ドレーンバルブが閉じられていることの決定の後に、前記フィルタポンプを作動させるステップ、
更に含む、請求項１に記載の方法。
【請求項８】
前記圧力出口は圧力ソレノイドを有する、請求項１に記載の方法。
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
寛骨臼カップを埋め込むための医療器具（１０）であって、第１拡孔具（１４）用の少なくとも１つの医療用案内器（１２）を含む医療器具において、
前記案内器（１２）が成形体（１８）を含むこと、
前記成形体（１８）が、遠位方向を向くと共に球面区域から逸脱する患者固有の骨当接面（２０）を有すること、
前記骨当接面（２０）が、患者の骨表面（３６）に対応するように又は略対応するように成形されること、及び
前記第１拡孔具（１４）を案内するための、長手方向軸（２８）を規定する案内シャフト（３０）が、前記成形体（１８）から突き出ると共に近位方向を向くこと、
を特徴とする医療器具。
【請求項２】
請求項１に記載の医療器具であって、
前記患者固有の骨当接面（２０）が、遠位方向を向くように配置又は構成されること、及び
前記案内シャフト（３０）が、近位方向を向くように配置又は構成されること、並びに／或いは
前記成形体（１８）が、拡孔具（１４）用の、遠位方向に作用する止め（２２）を有すること、
を特徴とする医療器具。
【請求項３】
請求項２に記載の医療器具であって、前記少なくとも１つの止め（２２）が、近位方向を向く止め面（２４）を有すること、を特徴とする医療器具。
【請求項４】
請求項３に記載の医療器具であって、前記止め面（２４）が、平坦な又は略平坦な構成であること、並びに／或いは
前記止め面（２４）が、前記長手方向軸（２８）に対して直交方向に、特に垂直に延びる平面（２６）を規定すること、並びに／或いは
前記止め面（２４）が、前記患者固有の骨当接面（２０）に隣接すること、及び
前記止め面（２４）と前記患者固有の骨当接面（２０）の間の移行部が、接線方向に不連続であること、並びに／或いは
前記止め面（２４）の幅が、円周角に応じて変動すること、を特徴とする医療器具。
【請求項５】
請求項１〜４のいずれか１項に記載の医療器具であって、前記骨当接面（２０）が、患者の寛骨臼（４２）の輪郭に少なくとも部分的に適合されること、並びに／或いは
前記骨当接面（２０）が、少なくとも窩（４４）の一部分に及び／又は寛骨臼切痕（４６）の一部分に対応する輪郭を有すること、を特徴とする医療器具。
【請求項６】
請求項１〜５のいずれか１項に記載の医療器具であって、前記成形体（１８）が、皿形の構成であると共に、一定の又は略一定の幅を有すること、を特徴とする医療器具。
【請求項７】
請求項１〜６のいずれか１項に記載の医療器具であって、前記骨当接面（２０）及び／又は前記成形体（１８）が、モールディング又は３Ｄ印刷により製造されること、並びに／或いは
前記成形体（１８）の前記骨当接面（２０）が、非侵襲的に測定された患者の骨輪郭データ、特にＸ線又は磁気共鳴画像からの患者の骨輪郭データに対応する又は略対応する骨当接面輪郭データを規定すること、を特徴とする医療器具。
【請求項８】
請求項１〜７のいずれか１項に記載の医療器具であって、前記案内シャフト（３０）が、前記成形体（１８）に解放不可能に又は解放可能に接続可能なやり方で接続されること、及び／又は
前記医療器具が、前記成形体（１８）を前記案内シャフト（３０）に一時的に連結するための連結装置を含むこと、を特徴とする医療器具。
【請求項９】
請求項８に記載の医療器具であって、
前記連結装置が、少なくとも１つの第１連結要素及び少なくとも１つの第２連結要素を含むこと、及び
前記少なくとも１つの第１及び第２連結要素が、互いに対応すると共に連結位置において係合状態にあり解放位置において係合解除状態にあるように構成されること、
を特徴とする医療器具。
【請求項１０】
請求項９に記載の医療器具であって、前記少なくとも１つの第１連結要素が連結受けの形態に構成され、前記少なくとも１つの第２連結要素が連結突起の形態に構成されること、並びに／或いは
前記少なくとも１つの第１連結要素が雌ねじ区域を有し、前記少なくとも１つの第２連結要素が対応する雄ねじ区域を有すること、並びに／或いは
前記少なくとも１つの第１連結要素が、前記成形体（１８）上に配置又は構成されること、及び
前記少なくとも１つの第２連結要素が、前記案内シャフト（３０）上に配置又は構成されること、
を特徴とする医療器具。
【請求項１１】
請求項１〜１０のいずれか１項に記載の医療器具であって、前記案内シャフト（３０）が長尺円筒形ロッド（３２）の形態に構成されること、並びに／或いは
前記医療器具が、第１拡孔具（１４）及び／又は第２拡孔具（６８）を含むこと、を特徴とする医療器具。
【請求項１２】
請求項１１に記載の医療器具であって、前記第１拡孔具（１４）が、リーマシャフト長手方向軸（５４）を規定するカニューレ挿入式リーマシャフト（５６）を備えた進入リーマ（１６）の形態に構成されると共に、前記医療用案内器（１２）の前記案内シャフト（３０）を収容するように構成されること、を特徴とする医療器具。
【請求項１３】
請求項１２に記載の医療器具であって、
前記進入リーマ（１６）がリーマヘッド（４８）を有すること、
前記リーマヘッド（４８）が、自己の内で閉じた機械加工面（６６）を有すること、及び
前記機械加工面（６６）が球面の区域を形成すること、
を特徴とする医療器具。
【請求項１４】
請求項１３に記載の医療器具であって、前記機械加工面（６６）が、複数の切断要素（８０）を担持する又は含むこと、及び／又は
前記リーマヘッド（４８）が、遠位方向を向くリーマヘッド止め面（５０）を有すること、及び／又は
前記リーマヘッド（４８）が、近位方向を向く端面（６２）を有し、
前記端面（６２）が、平坦な又は略平坦な構成であると共に、特に、前記リーマシャフト長手方向軸（５４）に対して直交方向に延び、特に、前記球面の球体中心を包含する端面平面（６４）を規定すること、
を特徴とする医療器具。
【請求項１５】
請求項１１〜１４のいずれか１項に記載の医療器具であって、前記第２拡孔具（６８）が、球形の寛骨臼リーマヘッド（７２）及び近位方向に突き出る寛骨臼リーマシャフト（７６）を備えた寛骨臼リーマ（７０）の形態に構成されること、を特徴とする医療器具。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
心肺圧縮板であって、
患者に関して構成されるボードと、
前記ボードに枢動可能に接続される少なくとも１つの足であって、動作位置において前記ボードから離れて前記圧縮デバイスを調節可能に固定するため、圧縮デバイスにおいて受けられるよう構成される機械的な特徴を持つ自由端部を含む、少なくとも１つの足と、
前記ボードの平面に対して横方向である前記動作位置において前記少なくとも１つの足を取り外し可能に維持するよう構成されるロック機構とを有する、心肺圧縮板。
【請求項２】
前記少なくとも１つの足が、前記ボードの端部分に配置される２つの足を含み、前記ボード上に横になる患者が、前記動作位置における前記足の間に配置される、請求項１に記載される板。
【請求項３】
前記ボードが、前記少なくとも１つの足をストレージ位置に固定するための保持機構を含む、請求項１に記載される板。
【請求項４】
前記ロック機構が、前記ボードに対して内部的に配置される、請求項１に記載される板。
【請求項５】
前記ロック機構が、前記動作位置において前記少なくとも１つの足を係止するフランジを含み、前記少なくとも１つの足をストレージ位置に復元するためのリリースを含む、請求項４に記載される板。
【請求項６】
前記ロック機構が、前記ボードに対して外部的に配置される、請求項１に記載される板。
【請求項７】
前記ロック機構が、前記動作位置において前記少なくとも１つの足を係止するラッチを含み、前記少なくとも１つの足をストレージ位置に復元するために解放可能である、請求項６に記載される板。
【請求項８】
前記圧縮デバイスにおいて受けられるよう構成される前記機械的な特徴が、前記圧縮デバイスにおいて提供される歯と係合するよう構成される歯を含む、請求項１に記載される板。
【請求項９】
前記機械的な特徴が、前記少なくとも１つの足の表面を含み、前記圧縮デバイスは、第１の位置において前記少なくとも１つの足と係合し及び保持するよう構成されて、第２の位置において前記少なくとも１つの足から分離するよう構成されるリングを含む、請求項１に記載される板。
【請求項１０】
前記圧縮デバイスにおいて受けられるよう構成される前記機械的な特徴が、格納式の軸受要素を受けるよう構成される表面を含み、前記軸受要素は、第１の位置において前記少なくとも１つの足を保持し、第２の位置において前記少なくとも１つの足と分離するよう構成される、請求項１に記載される板。
【請求項１１】
心肺圧縮システムであって、
患者に関して構成されるボードと、
前記ボードに対して枢動可能に接続される少なくとも１つの足であって、機械的な特徴を持つ自由端部を含む、少なくとも１つの足と、
前記少なくとも１つの足の前記自由端部を受け、動作位置において前記ボードから離れて前記圧縮デバイスを調節可能に固定するため、前記機械的な特徴と係合するよう構成される圧縮デバイスと、
前記ボードの平面に対して横方向である前記動作位置において前記少なくとも１つの足を取り外し可能に維持するよう構成されるロック機構とを有する、心肺圧縮システム。
【請求項１２】
前記少なくとも１つの足が、前記ボードの端部分に配置される２つの足を含み、前記ボード上に横になる患者が、前記動作位置における前記足の間に配置され、前記ボードが、前記足をストレージ位置に固定するための保持機構を含む、請求項１１に記載されるシステム。
【請求項１３】
前記ロック機構が、前記ボードに対して内部的に配置され、前記動作位置において前記少なくとも１つの足を係止するフランジを含み、前記少なくとも１つの足をストレージ位置に復元するためのリリースを含む、請求項１１に記載されるシステム。
【請求項１４】
前記ロック機構が、前記ボードに対して外部的に配置され、前記動作位置において前記少なくとも１つの足を係止するラッチを含み、前記少なくとも１つの足をストレージ位置に復元するために解放可能である、請求項１１に記載されるシステム。
【請求項１５】
心肺圧縮デバイスを位置決めする方法において、
少なくとも１つの足を持つボードを提供するステップであって、前記少なくとも１つの足がボードに対して枢動可能に接続され、前記少なくとも１つの足は、動作位置において前記ボードから離れて前記圧縮デバイスを調節可能に固定するため、圧縮デバイスにおいて受けられるよう構成される機械的な特徴を持つ自由端部を含む、ステップと、
前記少なくとも１つの足を前記動作位置へと調整するステップと、
前記ボードの平面に対して横方向に、前記動作位置において前記少なくとも１つの足を係止するステップと、
前記圧縮デバイスにおいて前記少なくとも１つの足を受けるステップと、
前記機械的な特徴を用いて前記圧縮デバイスの位置を調整するステップとを有する、方法。
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
患者の血管を評価するためのシステムであって、
前記患者の前記血管に挿入可能なサイズ及び形状を有する少なくとも１つの器具と、
前記少なくとも１つの器具と通信する処理装置とを含み、前記処理装置は、
前記少なくとも１つの器具から前記患者の前記血管中の生理学的測定値を取得し、
取得された前記生理学的測定値に関連付けられたリスクスコアを計算し、
前記リスクスコア及び前記血管の画像を、前記処理装置と通信するディスプレイに出力し、
前記リスクスコアに基づき、外科的処置を行うか否かを評価する、システム。
【請求項２】
出力された前記血管の前記画像は、前記少なくとも１つの器具から取得された前記生理学的測定値の位置を表すマーキングを含む、請求項１に記載のシステム。
【請求項３】
前記マーキングは、前記血管の前記画像沿いに移動可能である、請求項２に記載のシステム。
【請求項４】
出力された前記血管の前記画像は、前記少なくとも１つの器具から取得された前記圧力測定値に基づき関心領域を表すインジケータを含む、請求項１に記載のシステム。
【請求項５】
前記インジケータは、前記血管の前記画像沿いに移動可能である、請求項４に記載のシステム。
【請求項６】
出力された前記血管の前記画像は、取得された前記生理学的測定値に基づく視覚的表現をさらに含む、請求項１に記載のシステム。
【請求項７】
出力された前記血管の前記画像は、前記少なくとも１つの器具から取得された前記圧力測定値の圧力比の数値を含む、請求項６に記載のシステム。
【請求項８】
出力された前記血管の前記画像は、前記少なくとも１つの器具から取得された前記圧力測定値の圧力比を表すヒートマップを含む、請求項６に記載のシステム。
【請求項９】
前記ヒートマップの第１の視覚的特性は、閾値より高い圧力比に関連付けられ、前記ヒートマップの第２の視覚的特性は、前記閾値以下の圧力比に関連付けられる、請求項８に記載のシステム。
【請求項１０】
前記ヒートマップの前記第１の視覚的特性は、第１の色であり、前記ヒートマップの前記第２の視覚的特性は、前記第１の色から視覚的に区別可能な第２の色である、請求項９に記載のシステム。
【請求項１１】
前記画像は血管外画像である、請求項１に記載のシステム。
【請求項１２】
前記血管外画像は、二次元血管造影画像、三次元血管造影画像、及びＣＴ血管造影画像のうちの少なくとも１つである、請求項１１に記載のシステム。
【請求項１３】
前記外科的処置は、冠動脈バイパス移植術及び経皮的冠動脈形成術のうちの少なくとも１つである、請求項１に記載のシステム。
【請求項１４】
前記リスクスコアは、
SYNTAXスコア、冠血流予備量比(FFR)ガイド付SYNTAXスコア、潅流ベネフィットの指標、及びグラフト開存の指標のうちの少なくとも１つである、請求項１に記載のシステム。
【請求項１５】
前記リスクスコアはさらに、既往歴と関連付けられる、請求項１に記載のシステム。
【手続補正書】
【提出日】平成29年10月5日(2017.10.5)
【手続補正１】
【補正対象書類名】明細書
【補正対象項目名】０１０３
【補正方法】変更
【補正の内容】
【０１０３】
いくつかの実施形態において、吸入口ガード４１Ｂは、先端アダプタ１９Ｂの遠位端から奥に入った位置にある。この位置の潜在的な利点は、遠位内視鏡領域２１の進行および／または視野の妨害が少ない状態で、排出管腔２２を保護する点にある。特に、前進する遠位端の最も遠位部分の拡がりは、先端アダプタの固定構造を収容するのに使用される先端アダプタ１９Ｂの厚み分だけである。いくつかの実施形態において、１つ以上の位置決め要素１７Ａ、１７Ｂは、遠位内視鏡領域２１の端部に対して先端アダプタ１９Ｂが相対的に適切な位置にあることを保証するように作用する。
【手続補正２】
【補正対象書類名】明細書
【補正対象項目名】０１８７
【補正方法】変更
【補正の内容】
【０１８７】
いくつかの実施形態において、壁ガード２００１は１つ以上の可撓性部材２００２を含む。可撓性部材２００２は、一端において先端部本体に装着され、長さ２００２Ａが、たとえば、約１０〜１５ｍｍ、１２〜１８ｍｍ、１５〜２０ｍｍ、１８〜２４ｍｍ、または、境界が同一、より大きい、より小さい、および／または中間である他の範囲である。いくつかの実施形態において、壁ガード２００１の全幅２００２Ｂは、たとえば、約５〜７ｍｍ、６〜９ｍｍ、８〜１２ｍｍ、９〜１４ｍｍの範囲内、または、境界がこれと同一、より大きい、より小さい、および／または中間である、他の範囲内である。任意で、複数の可撓性部材は、隙間２００４によって、たとえば１〜２ｍｍの隙間または別の隙間の幅だけ、分離されている。
【手続補正３】
【補正対象書類名】明細書
【補正対象項目名】０１８９
【補正方法】変更
【補正の内容】
【０１８９】
次に図２２を参照して、図２２は、腸壁１および可撓性壁ガード２００１と関連して、クリーニングシステム遠位領域２２００（たとえば先端アダプタ２１００を含む）の、位置２２０１、２２０３、２２０５、２２０７、２２０９、２２１１、２２１３を示す。トする、腸壁からの、ソフトな（外傷を生じさせない）隔離部として機能することによって、潜在的な利点を提供する。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
関心構造を表現するボクセルを有する第１の画像データを取得するステップであって、前記関心構造が複数の異なるサブ構造を有する、ステップと、
前記第１の画像データにおいて、前記複数の異なるサブ構造の各々について、ただ１つのサブ構造を有するボリュームをセグメント化するステップと、
各ボリュームの前記複数の異なるサブ構造の各サブ構造ごとに異なる局所座標系を生成するステップと、
前記複数の異なるサブ構造の各々についてリフォーマットされた画像の組を別々に視覚的に表示することにより、前記関心構造を視覚的に表示するステップと、
を有し、１のサブ構造のリフォーマットされた画像の組は、前記セグメント化されたボリュームのうち対応するセグメント化されたボリュームから生成される個々の異なる断面及び当該サブ構造の局所的座標系を有し、
前記リフォーマットされた画像の組は、同じ局所座標系を使用して視覚的に表示されるアキシャル画像、サジタル画像、コロナル画像又はオブリーク画像の１又は複数を含む、方法。
【請求項２】
前記関心構造は、カーブした構造を有し、前記カーブした構造において、前記複数のサブ構造が前記第１の画像データの少なくとも１つの面において交わる、請求項１に記載の方法。
【請求項３】
前記関心構造が脊椎を有し、前記サブ構造が前記脊椎の個別の脊椎骨を有する、請求項１に記載の方法。
【請求項４】
１又は複数の３次元ボリュームレンダリングを通じて前記関心構造を視覚的に表示するステップを更に含む、請求項１乃至３のいずれか１項に記載の方法。
【請求項５】
視覚的に表示された各サブ構造のリフォーマットされた画像の各々の組の各画像に、グラフィック標示をオーバレイするステップを更に有し、リフォーマットされた画像の組の各画像ごとの前記グラフィック標示は、前記画像の組によって表現されるサブ構造の局所座標系を視覚的に示す、請求項１乃至４のいずれか１項に記載の方法。
【請求項６】
前記グラフィック標示は、アキシャル面、サジタル面又はコロナル面の１又は複数を示す個別のラインをもつ十字カーソルを有する、請求項５に記載の方法。
【請求項７】
１のサブ構造内の関心のある現在位置を示す第１の入力を受け取るステップを更に有し、リフォーマットされた画像の組の中の画像が、前記関心のある現在位置に対応する個々の異なる断面を視覚的に表示する、請求項１乃至４のいずれか１項に記載の方法。
【請求項８】
複数の異なるサブ構造を有する関心構造を表現するボクセルをもつ画像データを視覚化するための命令によって符号化されたコンピュータ可読記憶媒体と、
前記命令を実行することに応じて、前記個別のサブ構造の各々についてそれぞれ異なる局所座標系を生成し、前記サブ構造の各々をセグメント化し、前記異なる局所座標系に基づいて各サブ構造の画像を別個に視覚的に表示するように、前記画像データを処理する、プロセッサと、
を有するコンピューティングシステム。
【請求項９】
前記プロセッサが、前記命令を実行することに応じて、各サブ構造ごとに、リフォーマットされた画像の組を生成し、前記異なる局所座標系に基づいて各サブ構造の前記リフォーマットされた画像の組を別個に視覚的に表示する、請求項８に記載のコンピューティングシステム。
【請求項１０】
前記リフォーマットされた画像の組が、アキシャル画像、サジタル画像、コロナル画像又はオブリーク画像の１又は複数を有する、請求項９に記載のコンピューティングシステム。
【請求項１１】
前記プロセッサが、前記命令を実行することに応じて、前記サブ構造のうち少なくとも１つのサブ構造のボリュームレンダリングを生成し、前記ボリュームレンダリングを視覚的に表示する、請求項９又は１０に記載のコンピューティングシステム。
【請求項１２】
前記プロセッサが、前記命令を実行することに応じて、各サブ構造の前記画像の組の画像に、前記局所座標系の表現を重ねる、請求項９乃至１１のいずれか１項に記載のコンピューティングシステム。
【請求項１３】
前記表現が、アキシャル面、サジタル面、コロナル面又はオブリーク面の１又は複数を表現するラインを有する、請求項１２に記載のコンピューティングシステム。
【請求項１４】
前記プロセッサは、前記命令を実行することに応じて、あとから取得された他の画像データを処理することにより、前記他の画像データの個別のサブ構造をセグメント化し、前記他の画像データからセグメント化された前記個別のサブ構造に、個々の異なる局所座標系を適用し、前記画像データ及び前記他の画像データからの前記個別のサブ構造の画像を前記異なる局所座標系を使用して同時に視覚的に表示する、請求項８乃至１３のいずれか１項に記載のコンピューティングシステム。
【請求項１５】
コンピュータ可読命令によって符号化されたコンピュータ可読記憶媒体であって、前記コンピュータ可読命令は、プロセッサによって実行されるとき、前記プロセッサに、関心構造の複数の異なるサブ構造の各々についてのリフォーマットされた画像の組を別個に視覚的に表示することにより、前記関心構造を視覚的に表示させ、１のサブ構造についてのリフォーマットされた画像の組が、対応するセグメント化されたボリュームから生成されるそれぞれの異なる断面及び当該サブ構造の局所座標系を有する、コンピュータ可読記憶媒体。
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
X線画像データを処理するための方法であって、
和画像データ及び差画像データを受信し、前記和画像データ及び前記差画像データは対象物を通過する二つの異なるエネルギのX線の輝度情報を有し、前記和画像データは前記二つの異なるエネルギの和輝度に基づき、前記差画像データは前記二つの異なるエネルギの差輝度に基づく、ステップと、
前記差画像データを低周波レンジ及び高周波レンジに分割するステップと、
前記和画像データを低周波レンジ及び高周波レンジに分割するステップと、
前記差画像の前記高周波レンジを前記和画像データの高周波レンジに置換することによって低ノイズ画像データを生成するステップと
を有し、
前記差画像データの前記低周波レンジはスケーリングファクタによって重み付けされる、
方法。
【請求項２】
第一の画像データ及び／又は第二の画像データを受信し、前記第一の画像データ及び前記第二の画像データは対象物を通過するX線の輝度情報を有し、前記第一の画像データは前記第二の画像データとして異なるX線エネルギに関連する、ステップと、
前記第一の画像データ及び前記第二の画像データの総和を計算することによって和画像データを生成し、及び／又は前記第一の画像データ及び前記第二の画像データの差を計算することによって差画像データを生成するステップと
を更に有する、請求項１に記載の方法。
【請求項３】
前記差画像データ及び前記和画像データはフーリエ変換によって周波数レンジに分割される、
請求項１乃至２の何れか一項に記載の方法。
【請求項４】
前記差画像データ及び前記和画像データは前記和画像データ及び前記差画像データの各々のラプラスピラミッドを決定することによって周波数帯域に分割され、
前記高周波レンジは少なくとも二つの最高周波数帯域を有する、
請求項１乃至３の何れか一項に記載の方法。
【請求項５】
前記和画像データは前記第一の画像データ及び前記第二の画像データの対応するピクセルのピクセルワイズ加算強度値に基づき、及び／又は前記差画像データは前記対応するピクセルのピクセルワイズ減算強度値に基づく、
請求項１乃至４の何れか一項に記載の方法。
【請求項６】
前記和画像データは強度値の総和の対数に基づき、及び／又は
前記差画像データは強度値の対数の差に基づく、
請求項１乃至５の何れか一項に記載の方法。
【請求項７】
前記第一の画像データは閾値より下のX線の輝度情報を有し、前記第二の画像データは前記閾値より上のX線の輝度情報を有する、
請求項１乃至６の何れか一項に記載の方法。
【請求項８】
前記第一の画像データ、前記第二の画像データ、前記和画像データ、前記差画像データ及び／又は前記低ノイズ画像データは、二次元ピクセルデータを有する、
請求項１乃至７の何れか一項に記載の方法。
【請求項９】
前記第一の画像データ及び前記第二の画像データは異なるエネルギのX線を区別するように構成される検出器により収集される、
請求項１乃至８の何れか一項に記載の方法。
【請求項１０】
プロセッサによって実行されるとき、請求項１乃至９の何れか一項に記載の方法のステップを実行するように構成されるコンピュータプログラム。
【請求項１１】
請求項１０に記載のコンピュータプログラムが記憶される、コンピュータ読取り可能な媒体。
【請求項１２】
異なるX線エネルギに関する第一の画像データ及び第二の画像データを収集するための検出器構成と、
請求項１乃至９の何れか一項に記載の方法を実行するためのコントローラと、
前記低ノイズ差画像を表示するためのディスプレイと
を有する、X線イメージング装置。
【請求項１３】
前記X線イメージング装置はマンモグラフィー装置である、
請求項１２に記載の装置。
【手続補正書】
【提出日】平成29年11月6日(2017.11.6)
【手続補正１】
【補正対象書類名】明細書
【補正対象項目名】００５０
【補正方法】変更
【補正の内容】
【００５０】
内側スリーブ２９は、プラスチックから射出成形され、数字スリーブ２４の中空の内部６５内へ嵌る管状の本体を含む。内側スリーブ２９は、その外面上に、数字スリーブ２４の内面上の内部ねじ切り部６７に係合するつる巻き状のねじ切り部７５を有する。ねじ切り部６７および７５を１条ねじとして示すが、異なる形で形成することもできる。ねじ切り部に対応して部分的につる巻き状に成形された内側スリーブ２４の端部の最近位部分は、軸方向に突出する歯７６の部分的なリングを形成するようにノッチが付けられ、歯７６は、ダイヤルリンクの遠位向きの歯３９と噛み合うとき、ダイヤルリンク２５および内側スリーブ２９をともに回転可能にロックするように働く。内側スリーブ２９が、本体４に軸方向および回転方向に固定された中間の中央部２０を通って、ペン本体４にキー止めされる。内側スリーブ２９の遠位端は、内側スリーブ２９の周辺部上に１対の隆起が画成されたスロット７７を有し、スロット７７は、中央部２０から径方向に内向きに突出するラグ７８を軸方向に摺動可能に受ける。
【手続補正書】
【提出日】平成29年11月8日(2017.11.8)
【手続補正１】
【補正対象書類名】明細書
【補正対象項目名】００５６
【補正方法】変更
【補正の内容】
【００５６】
上記に引用されている全ての特許及び特許出願は、「背景技術」の項に引用されているものを含めて、その全体が本明細書において参照により援用されている。そのような組み込まれる文書と上記の明細書との間に矛盾又は不一致が存在する限りにおいて、上記の明細書が優先される。
以下、本発明の好ましい態様について説明する。
〔態様１〕
（ａ）オリフィスを有し、前記オリフィスを囲む非円形封止面を有する弁座と、
（ｂ）前記オリフィスの重心で前記弁座に固定され、可変剛性構造を有する可撓性フラップと、を備える、呼気弁。
〔態様２〕
前記可撓性フラップが、前記可撓性フラップの重心で前記弁座に固定される、態様１に記載の呼気弁。
〔態様３〕
前記可撓性フラップが、第１の整列要素を有する、態様２に記載の呼気弁。
〔態様４〕
前記弁座が、前記第１の整列要素と嵌合する第２の整列要素を有する、態様３に記載の呼気弁。
〔態様５〕
前記第１及び第２の整列要素が、前記フラップ平面内の前記オリフィスの前記重心を中心とした前記可撓性フラップの回転を妨げる、態様４に記載の呼気弁。
〔態様６〕
前記第１の整列要素が、前記第２の整列要素内の同様に寸法決定された回転防止要素（複数可）と嵌合する回転防止要素（複数可）を含む、態様５に記載の呼気弁。
〔態様７〕
前記弁座が、前記第２の整列要素から前記オリフィスの内縁部まで放射状に延びる１つ以上の梁を有する、態様４に記載の呼気弁。
〔態様８〕
前記梁が、前記弁オリフィス内で前記第２の整列要素をその重心で支持する、態様７に記載の呼気弁。
〔態様９〕
前記フラップが、その閉鎖位置にあるとき、前記弁座に向かって付勢される、態様７に記載の呼気弁。
〔態様１０〕
前記可変剛性構造が、前記可撓性フラップの前記重心から放射状に延びる複数のリブを含む、態様１に記載の呼気弁。
〔態様１１〕
前記リブの少なくともいくつかが異なる長さを有し、より長いリブがより短いリブよりも剛性が高くなるように構成される、態様１２に記載の呼気弁。
〔態様１２〕
前記可撓性フラップ試験に従って測定されたときに、前記フラップ周囲に沿った任意の点で前記可撓性フラップを前記封止面から１ｍｍ持ち上げるために、５ｍＮ以下の力しか必要とされない、態様２に記載の呼気弁。
〔態様１３〕
（ａ）ハーネスと、
（ｂ）呼気弁を備えるマスク本体と、
を備える呼吸マスクであって、
前記呼気弁が、
（ｉ）オリフィスを有し、前記オリフィスを囲む非円形封止面を有する弁座と、
（ｉｉ）前記オリフィスの重心で弁座に固定され、可変剛性構造を有する可撓性フラップと、を含む、呼吸マスク。
〔態様１４〕
前記可撓性フラップが、前記可撓性フラップの重心で前記弁座に固定される、態様１３に記載の呼吸マスク。
〔態様１５〕
前記可撓性フラップが、第１の整列要素を有する、態様１３に記載の呼吸マスク。
〔態様１６〕
前記弁座が、前記第１の整列要素と嵌合する第２の整列要素を有する、態様１５に記載の呼吸マスク。
〔態様１７〕
前記第１及び第２の整列要素が、前記フラップ平面における前記オリフィスの前記重心を中心とした前記可撓性フラップの回転を妨げる、態様１６に記載の呼吸マスク。
〔態様１８〕
前記第１の整列要素が、前記第２の整列要素内の同様に寸法決定された回転防止要素（複数可）と嵌合する回転防止要素（複数可）を含む、態様１７に記載の呼吸マスク。
〔態様１９〕
前記弁座が、前記第２の整列要素から前記オリフィスの内縁部まで放射状に延びる１つ以上の梁を有する、態様１６に記載の呼吸マスク。
〔態様２０〕
前記梁が前記弁オリフィス内で前記第２の整列要素をその重心で支持する、態様１９に記載の呼吸マスク。
【手続補正２】
【補正対象書類名】特許請求の範囲
【補正対象項目名】全文
【補正方法】変更
【補正の内容】
【特許請求の範囲】
【請求項１】
（ａ）オリフィスを有し、前記オリフィスを囲む非円形封止面を有する弁座と、
（ｂ）前記オリフィスの重心で前記弁座に固定され、可変剛性構造を有する可撓性フラップと、を備える、呼気弁。
【請求項２】
前記可撓性フラップが、前記可撓性フラップの重心で前記弁座に固定される、請求項１に記載の呼気弁。
【請求項３】
前記可撓性フラップが、第１の整列要素を有する、請求項２に記載の呼気弁。
【請求項４】
前記弁座が、前記第１の整列要素と嵌合する第２の整列要素を有する、請求項３に記載の呼気弁。
【請求項５】
前記第１及び第２の整列要素が、前記フラップ平面内の前記オリフィスの前記重心を中心とした前記可撓性フラップの回転を妨げる、請求項４に記載の呼気弁。
【請求項６】
前記第１の整列要素が、前記第２の整列要素内の同様に寸法決定された回転防止要素（複数可）と嵌合する回転防止要素（複数可）を含む、請求項５に記載の呼気弁。
【請求項７】
（ａ）ハーネスと、
（ｂ）呼気弁を備えるマスク本体と、
を備える呼吸マスクであって、
前記呼気弁が、
（ｉ）オリフィスを有し、前記オリフィスを囲む非円形封止面を有する弁座と、
（ｉｉ）前記オリフィスの重心で弁座に固定され、可変剛性構造を有する可撓性フラップと、を含む、呼吸マスク。
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
心肺圧迫装置において、
回転部を持つモータと、
前記回転部に取り付けられ、前記回転部とともに回転するボールナットと、
ボールねじであって、前記ボールナットにおける回転が前記モータの方向にしたがって前記ボールねじを進める及び／又は引っ込めるように前記ボールナットにおいて受けられる前記ボールねじと、
前記ボールねじの長手方向の動きが患者に圧迫サイクルを与えるように前記ボールねじの末端部に結合されたパッドアセンブリと、
を有する、装置。
【請求項２】
前記ボールナットが、前記パッドアセンブリに対して前記モータの同じ側にある、請求項１に記載の装置。
【請求項３】
前記ボールナットが、前記パッドアセンブリに対して前記モータの反対側にある、請求項１に記載の装置。
【請求項４】
前記ボールねじが、伸縮ボールねじを含む、請求項１に記載の装置。
【請求項５】
前記モータの回転に抵抗するように前記パッドアセンブリに接続された少なくとも１つの線形ガイドを有する、請求項１に記載の装置。
【請求項６】
前記モータが、直流又は交流モータを含む、請求項１に記載の装置。
【請求項７】
前記圧迫装置の動作を制御し、患者の胸部の上以外に配置されるコントローラを有する、請求項１に記載の装置。
【請求項８】
心肺圧迫装置において、
回転部を持つモータと、
前記モータに取り付けられ、中を通る少なくとも１つの線形ガイドホールを形成するガイド固定具と、
前記回転部に取り付けられ、前記回転部とともに回転するボールナットと、
ボールねじであって、前記ボールナットの回転が前記モータの方向にしたがって前記ボールねじを進める及び／又は引っ込めるように前記ボールナットにおいて受けられる前記ボールねじと、
前記ボールねじの長手方向の動きが患者に圧迫サイクルを与えるように前記ボールねじの末端部に結合されたパッドアセンブリと、
前記モータの回転に抵抗するように前記パッドアセンブリに接続され、前記ガイド固定具を通る少なくとも１つの線形ガイドと、
を有する、装置。
【請求項９】
前記ボールナットが、前記パッドアセンブリに対して前記モータの同じ側にある、請求項８に記載の装置。
【請求項１０】
前記ボールナットが、前記パッドアセンブリに対して前記モータの反対側にある、請求項８に記載の装置。
【請求項１１】
前記ボールねじが、伸縮ボールねじを含む、請求項８に記載の装置。
【請求項１２】
前記モータが、直流又は交流モータを含む、請求項８に記載の装置。
【請求項１３】
前記圧迫装置の動作を制御し、患者の胸部の上以外に配置されるコントローラを有する、請求項８に記載の装置。
【請求項１４】
圧迫装置のパッドアセンブリを作動する方法において、
回転部を持つモータ、前記回転部に取り付けられ、前記回転部とともに回転するボールナット、ボールねじであって、前記ボールナットの回転が前記モータの方向にしたがって前記ボールねじを進める及び／又は引っ込めるように前記ボールナットにおいて受けられる前記ボールねじ、及び前記ボールねじの末端部に結合されたパッドアセンブリを持つ圧迫ユニットを提供するステップと、
前記ボールねじを進める長手方向の動きを提供するように前記モータを作動するステップと、
前記ボールねじを引っ込める長手方向の動きを提供するように前記モータを逆回転するステップと、
を有する方法。
【請求項１５】
前記ボールナットが、前記パッドアセンブリに対して前記モータの同じ側にある、請求項１４に記載の方法。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
第1洗浄成分として、キシリトール、ソルビトール、グリセロール、エリスリトール、トレイトール、アラビトール、リビトール、マンニトール、ガラクチトール、フシトール、イジトール、イノシトール、ボレミトール、イソマルト、マルチトール、ラクチトール、マルトトリイトール、マルトテトライトール、及びポリグリシトールから選択される1種以上の糖アルコール；第2洗浄成分として、アスコルビン酸またはアスコルビン酸とアスコルビン酸塩との混合物；第3洗浄成分として、ピコサルフェート；及び水溶性溶媒を含み、
上記第1洗浄成分の含量が、組成物全体基準で10g/L〜500g/Lであり、上記第2洗浄成分の含量が、組成物全体基準で15g/L〜500g/Lであり、上記第3洗浄成分の含量が組成物全体基準で1mg/L〜100mg/Lであり、上記水溶性溶媒の用量が0.1L〜1.5Lであることを特徴とする腸洗浄用組成物。
【請求項２】
第1項において、
上記組成物が、気泡形成抑制剤をさらに含み、上記気泡形成抑制剤の含量が組成物全体基準で100mg/L〜2g/Lであることを特徴とする腸洗浄用組成物。
【請求項３】
第2項において、
上記気泡発生抑制剤が、シメチコンであることを特徴とする腸洗浄用組成物。
【請求項４】
第1項において、
上記組成物が、炭酸水素ナトリウム、炭酸水素カリウムから選択される重炭酸塩をさらに含み、上記重炭酸塩の含量が炭酸水素ナトリウムの場合、組成物全体基準で0.1g/L〜10g/Lであり、炭酸水素カリウムの場合、組成物全体基準で0.1g/L〜20g/Lであることを特徴とする腸洗浄用組成物。
【請求項５】
第1項において、
上記組成物が、ショウガ、ハッカ、カモミールから選択される胃腸管安定剤をさらに含み、上記胃腸管安定剤の含量が組成物全体基準で5g/L〜50g/Lであることを特徴とする腸洗浄用組成物。
【請求項６】
第1項において、
上記組成物が、クエン酸、マグネシウム、ドキュセートナトリウム、センナ抽出物、アロエ抽出物、ニンニク抽出物、ペクチン、亜鉛、カフェインから選択される洗浄成分をさらに含むことを特徴とする腸洗浄用組成物。
【請求項７】
第1項において、
上記第1洗浄成分が、キシリトールであることを特徴とする腸洗浄用組成物。
【請求項８】
第1項において、
上記第1洗浄成分が、ソルビトールであることを特徴とする腸洗浄用組成物。
【請求項９】
第1項において、
上記第1洗浄成分が、キシリトールとソルビトールの混合物であることを特徴とする腸洗浄用組成物。
【請求項１０】
第1項において、
上記第2洗浄成分が、アスコルビン酸とアスコルビン酸塩の混合物の場合、アスコルビン酸対アスコルビン酸塩の質量比が99：1〜60：40の範囲であることを特徴とする腸洗浄用組成物。
【請求項１１】
第1項において、
上記水溶性溶媒は、水、炭酸水、アルカリイオン水または飲料であることを特徴とする腸洗浄用組成物。
【請求項１２】
第1項において、
上記水溶性溶媒は、炭酸水であることを特徴とする腸洗浄用組成物。
【請求項１３】
第1項において、
上記第1洗浄成分の含量が、組成物全体基準で50g/L〜150g/Lであることを特徴とする腸洗浄用組成物。
【請求項１４】
第1項において、
上記第2洗浄成分の含量が、組成物全体基準で30g/L〜200g/Lであることを特徴とする腸洗浄用組成物。
【請求項１５】
第1項において、
上記第3洗浄成分の含量が、組成物全体基準で10mg/L〜80mg/Lであることを特徴とする腸洗浄用組成物。
【請求項１６】
第1項において、
上記水溶性溶媒の用量が0.3L〜0.7Lであることを特徴とする腸洗浄用組成物。
【請求項１７】
第1項において、
上記組成物は、一液型であることを特徴とする腸洗浄用組成物。
【請求項１８】
第1項において、
上記組成物は、二液型であることを特徴とする腸洗浄用組成物。
【請求項１９】
第18項において、
上記組成物は、(i)上記水溶性溶媒の全用量のうち0.05L〜0.2Lに全ての成分を配合させた高濃縮液としてパッケージングしたものと、(ii)上記水溶性溶媒の全用量のうち上記高濃縮液に用いられたものを除いた残りの用量を別途にパッケージングしたものからなる二液型であることを特徴とする腸洗浄用組成物。
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
脂肪酸の15-ヒドロキシ誘導体の生産のための方法であって、
少なくとも1.1バール〜約4バールの酸素雰囲気下で脂肪酸を酸化して、15-ヒドロペルオキシ脂肪酸中間体を形成すること、及び
還元剤を使用して、該脂肪酸の15-ヒドロペルオキシ誘導体を形成することを含む、前記方法。
【請求項２】
前記酸化の工程が、前記脂肪酸を、該脂肪酸の1グラム当り400Mユニット未満と接触させることを含む、請求項１記載の方法。
【請求項３】
少なくとも約50％の前記脂肪酸の15-ヒドロキシ誘導体の収率が得られる、請求項１又は２記載の方法。
【請求項４】
前記15-ヒドロキシ誘導体が、15(S)-HETrEである、請求項１〜３のいずれか一項記載の方法。
【請求項５】
前記15-ヒドロキシ誘導体が、15(S)-ヒドロキシエイコサペンタエン酸である、請求項１〜４のいずれか一項記載の方法。
【請求項６】
前記還元剤が、システインを含む、請求項１記載の方法。
【請求項７】
前記脂肪酸が、DGLAを含む、請求項１記載の方法。
【請求項８】
前記脂肪酸が、多価不飽和脂肪酸を含む、請求項１記載の方法。
【請求項９】
前記脂肪酸の15-ヒドロキシ誘導体が、95％ wt/wt以上の純度を有する、請求項１記載の方法。
【請求項１０】
前記バッチサイズが、100kg以上である、請求項１記載の方法。
【請求項１１】
前記バッチサイズが、250kg以上である、請求項１記載の方法。
【請求項１２】
前記バッチサイズが、500kg以上である、請求項１記載の方法。
【請求項１３】
前記酸化が、前記脂肪酸を大豆粉抽出物と接触させることを含む、請求項１記載の方法。
【請求項１４】
大豆粉をpH4.5の緩衝液と接触させて、粗製の大豆粉抽出物を生成すること；及び
該粗製の大豆粉抽出物を濾過して、前記大豆粉抽出物を生成することを更に含む、請求項１３記載の方法。
【請求項１５】
前記大豆粉抽出物が、約2mg/mLの精製された凍結乾燥リポキシゲナーゼ酵素に相当する活性を有する、請求項１４記載の方法。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
相互浸入ポリマーネットワークを形成するための熱硬化性感圧性接着剤組成物であって、
前記組成物の総重量に基づいて、以下の成分：
ａ）−３５℃〜３２℃のガラス転移温度Ｔｇを有し、かつ相互浸入ポリマーネットワークを形成するためにベンゾオキサジンと反応することができる反応性官能基を有する、３５〜９９重量％の反応性ポリメタクリレート成分と、
ｂ）１〜６５重量％の、以下の式で表されるベンゾオキサジン組成物と、を含む、熱硬化性感圧性接着剤組成物。
【化１】
2016537440.tif 000001
［式中、
Ｘは、共有結合、Ｃ１〜Ｃ６アルキレン、Ｃ３〜Ｃ１０シクロアルキレン基、
【化２】
2016537440.tif 000002
Ｃ＝Ｏ、Ｓ、Ｓ＝Ｏ、及びＯ＝Ｓ＝Ｏからなる群から選択され、
Ｒ１及びＲ２は、同じであるか又は異なり、互いに独立して、水素、Ｃ１〜Ｃ６アルキル、及びＣ５〜Ｃ１４アリールからなる群から選択され、
Ｒ４は、水素、ハロゲン、及びＣ１〜Ｃ６アルキルからなる群から選択される。］
【請求項２】
請求項１に記載の熱硬化性感圧性接着剤組成物と、導電性材料と、を含む、導電性接着剤組成物。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
流体成分と、
多孔質セラミックマトリックス全体にわたって均一に分散された個々の研磨粒子を含む、複数のセラミック研磨材複合体と、を含む、研磨溶液であって、
該多孔質セラミックマトリックスの少なくとも一部は、ガラス質セラミック材料を含み、
該セラミック研磨材複合体は、該流体成分中に分散しており、
前記流体成分は、エチレングリコール、プロピレングリコール、グリセロール、又は、エチレングリコールのオリゴマーを含む、研磨溶液。
【請求項２】
流体成分と、
多孔質セラミックマトリックス中に分散された個々の研磨粒子を含む、複数のセラミック研磨材複合体と、を含む、研磨溶液であって、
該セラミック研磨材複合体中の該多孔質セラミックマトリックスの量は、該多孔質セラミックマトリックスと該個々の研磨粒子の総重量の約５〜９５重量％であり、
該多孔質セラミックマトリックスの少なくとも一部は、ガラス質セラミック材料を含み、
該セラミック研磨材複合体は、該流体成分中に分散しており、
前記流体成分は、エチレングリコール、プロピレングリコール、グリセロール、又は、エチレングリコールのオリゴマーを含む、研磨溶液。